【事件の表示】
　平成１０年特許願第１４５７４７号「眼鏡装用シミュレーションにおける合成画像作成方法」拒絶査定不服審判事件〔平成１１年１２月１０日出願公開、特開平１１−３３８９０５、請求項の数（３）〕について、次のとおり審決する。
【結　論】
　原査定を取り消す。
　本願の発明は、特許すべきものとする。
【理　由】
１．手続の経緯
　本願は、平成１０年５月２７日の出願であって、平成１７年３月１０日付けで拒絶査定がなされ、これに対し、同年５月６日に拒絶査定に対する審判請求がなされるとともに、同年６月６日付けで手続補正がなされたものである。
　
２．平成１７年６月６日付けの手続補正についての補正却下の決定
　
［補正却下の決定の結論］
　平成１７年６月６日付けの手続補正を却下する。
　
［理由］
　本件補正により、特許請求の範囲の請求項１は、補正前の
「【請求項１】
　コンピュータを用いたシミュレーションにより、眼鏡を装用していない人物の肖像画像に眼鏡フレーム画像を重ね合わせた合成画像を作成して表示画面上に表示する眼鏡装用シミュレーションにおける合成画像作成方法であって、
　前記コンピュータによって、
　前記人物の正面肖像画像及び側面肖像画像を取り込むステップと、
前記人物の正面肖像画像上の角膜頂点間距離に対して前記人物の角膜頂点間の実測した距離の比として正面肖像画像のスケーリング値Ａを求めるステップと、
　前記正面肖像画像及び側面肖像画像の両肖像画像において共通して明らかに特定できるポイントを高さ計測ポイントとし、前記正面肖像画像において左右の角膜頂点を結んだ直線からこの高さ計測ポイントまでの垂直距離である正面肖像画像の垂直距離Ｌ１を求めるとともに、前記側面肖像画像において右又は左の角膜頂点から前記高さ計測ポイントまでの距離である側面肖像画像の垂直距離Ｌ２を求めるステップと、
　これら得られた正面肖像画像のスケーリング値Ａと正面肖像画像の垂直距離Ｌ１と側面肖像画像の垂直距離Ｌ２とから、側面肖像画像のスケーリング値Ｂを次式、Ｂ＝Ａ×Ｌ１／Ｌ２により求めるステップと、
　この側面肖像画像のスケーリング値Ｂを用いて、前記側面肖像画像と前記眼鏡フレーム画像とをそれらの実物の大きさに対して同一の比率にして眼鏡フレームを装用した側面画像を表示画面上に表示するステップとを実行することを特徴とする眼鏡装用シミュレーションにおける合成画像作成方法。」
から、
「【請求項１】　コンピュータを用いたシミュレーションにより、眼鏡を装用していない人物の肖像画像に眼鏡フレーム画像を重ね合わせた合成画像を作成して表示画面上に表示する眼鏡装用シミュレーションにおける合成画像作成方法であって、
　前記コンピュータによって、前記人物の正面画像及び側面肖像画像を取り込むステップと、
　前記人物の正面肖像画像上の角膜頂点間距離に対して前記人物の角膜頂点間の実測した距離の比として正面肖像画像のスケーリング値Ａを求めるステップと、
　正面肖像画像の所定部分の垂直距離Ｌ１及び前記正面肖像画像の所定部分に対応する側面肖像画像の垂直距離Ｌ２を求めるステップと、
　これら得られた正面肖像画像のスケーリング値Ａと正面肖像画像の垂直距離Ｌ１と側面肖像画像の垂直距離Ｌ２とから、側面肖像画像のスケーリング値Ｂを次式、Ｂ＝Ａ×Ｌ１／Ｌ２により求めるステップと、
　　この側面肖像画像のスケーリング値Ｂを用いて、前記側面肖像画像を前記眼鏡フレームの表示倍率に一致させてそれらの実物の大きさに対して同一の比率にして眼鏡フレームを装用した側面画像を表示画面上に表示するステップとを実行することを特徴とする眼鏡装用シミュレーションにおける合成画像作成方法。」
と補正されるものである。
　垂直距離Ｌ１及び垂直距離Ｌ２を求めることに関して、
「前記正面肖像画像及び側面肖像画像の両肖像画像において共通して明らかに特定できるポイントを高さ計測ポイントとし、前記正面肖像画像において左右の角膜頂点を結んだ直線からこの高さ計測ポイントまでの垂直距離である正面肖像画像の垂直距離Ｌ１を求めるとともに、前記側面肖像画像において右又は左の角膜頂点から前記高さ計測ポイントまでの距離である側面肖像画像の垂直距離Ｌ２を求めるステップ」
を
「正面肖像画像の所定部分の垂直距離Ｌ１及び前記正面肖像画像の所定部分に対応する側面肖像画像の垂直距離Ｌ２を求めるステップ」
として、計測ポイントに関する限定を削除する補正は、特許請求の範囲の減縮、誤記の訂正、又は明りようでない記載の釈明のいずれを目的とするものともいえない。
　したがって、本件補正は、特許法第１７条の２第４項の規定に違反するものであり、特許法第１５９条第１項で読み替えて準用する特許法第５３条第１項の規定により却下されるべきものである。
　
３．本願発明について
３．１．本願発明
　平成１７年６月６日付けの手続補正は上記のとおり却下されたので、本願の請求項１−３に係る発明は、平成１７年２月２１日付けの手続補正書の特許請求の範囲の請求項１−３に記載された事項により特定される、以下のとおりのものである。
　
「【請求項１】
　コンピュータを用いたシミュレーションにより、眼鏡を装用していない人物の肖像画像に眼鏡フレーム画像を重ね合わせた合成画像を作成して表示画面上に表示する眼鏡装用シミュレーションにおける合成画像作成方法であって、
　前記コンピュータによって、
　前記人物の正面肖像画像及び側面肖像画像を取り込むステップと、
前記人物の正面肖像画像上の角膜頂点間距離に対して前記人物の角膜頂点間の実測した距離の比として正面肖像画像のスケーリング値Ａを求めるステップと、
　前記正面肖像画像及び側面肖像画像の両肖像画像において共通して明らかに特定できるポイントを高さ計測ポイントとし、前記正面肖像画像において左右の角膜頂点を結んだ直線からこの高さ計測ポイントまでの垂直距離である正面肖像画像の垂直距離Ｌ１を求めるとともに、前記側面肖像画像において右又は左の角膜頂点から前記高さ計測ポイントまでの距離である側面肖像画像の垂直距離Ｌ２を求めるステップと、
　これら得られた正面肖像画像のスケーリング値Ａと正面肖像画像の垂直距離Ｌ１と側面肖像画像の垂直距離Ｌ２とから、側面肖像画像のスケーリング値Ｂを次式、Ｂ＝Ａ×Ｌ１／Ｌ２により求めるステップと、
　この側面肖像画像のスケーリング値Ｂを用いて、前記側面肖像画像と前記眼鏡フレーム画像とをそれらの実物の大きさに対して同一の比率にして眼鏡フレームを装用した側面画像を表示画面上に表示するステップとを実行することを特徴とする眼鏡装用シミュレーションにおける合成画像作成方法。
【請求項２】
前記正面肖像画像のスケーリング値Ａと前記側面肖像画像のスケーリング値Ｂとを用いて、眼鏡フレームを装用した正面画像及び側面画像とを同一のサイズで表示画面上に表示することを特徴とする請求項１に記載の眼鏡装用シミュレーションにおける合成画像作成方法。
【請求項３】
　コンピュータを用いたシミュレーションにより、眼鏡を装用しない人物の肖像画像に眼鏡フレーム画像を重ね合わせた合成画像を作成して表示画面上に表示する眼鏡装用シミュレーション装置であって、
　前記コンピュータは、
　前記人物の正面肖像画像及び側面肖像画像を取り込むステップと、
　前記人物の正面肖像画像上の角膜頂点間距離に対して前記人物の角膜頂点間の実測した距離の比として正面肖像画像のスケーリング値Ａを求めるステップと、
　前記正面肖像画像及び側面肖像画像の両肖像画像において共通して明らかに特定できるポイントを高さ計測ポイントとし、前記正面肖像画像の左右の角膜頂点を結んだ直線からこの高さ計測ポイントまでの垂直距離である正面肖像画像の垂直距離Ｌ１を求めるとともに、前記側面肖像画像において右又は左の角膜頂点から前記高さ計測ポイントまでの距離である側面肖像画像の垂直距離Ｌ２を求めるステップと、
　これら得られた正面肖像画像のスケーリング値Ａと正面肖像画像の垂直距離Ｌ１と側面肖像画像の垂直距離Ｌ２とから、側面肖像画像のスケーリング値Ｂを次式、Ｂ＝Ａ×Ｌ１／Ｌ２により求めるステップと、
　この側面肖像画像のスケーリング値Ｂを用いて、前記側面肖像画像と前記眼鏡フレーム画像とをそれらの実物の大きさに対して同一の比率にして眼鏡フレームを装用した側面画像を表示画面上に表示するステップと、
　を実行する機能を有するものであることを特徴とする眼鏡装用シミュレーション装置。」
　
３．２．引用文献
　拒絶査定の理由となった平成１６年１１月２９日付けの拒絶理由で引用された特開昭６３−７６５８１号公報（以下、引用文献１という。）及び特開平８−１４７４９４号公報（以下、引用文献２という。）には、以下の記載がある。
　
　引用文献１（特開昭６３−７６５８１号公報）
（１）「２．特許請求の範囲
　ＣＰＵ、ＡＤ変換器、画像記憶メモリー、ＤＡ変換器、第１の合成倍率で取込まれた眼鏡フレームデータメモリー、プラグラムメモリー、および操作手段を有するコンピューターとビデオカメラと表示装置とにより構成され、前記コンピューターによって、前記第１の合成倍率で取込まれた眼鏡フレームの撮像データと前記ビデオカメラからの人物像の撮像データとの合成画像を作成し、前記表示装置に人物が眼鏡を装着した状態を表示する眼鏡装用シミュレーション装置における合成画像作成方法であって、前記ビデオカメラによって前記コンピューターに取り込まれた眼鏡を装用していない人物の表示画面における静止画像から検出した左右両限の角膜頂点位置座標と、前記コンピューターの前記操作手段から入力された人物の瞳孔間距離情報とにより、前記表示画面における表示画像の実際の人物に対する第２の合成倍率を計算し、前記第２の合成倍率に基づき前記表示画面における眼鏡フレーム合成位置、ならびに人物像および眼鏡フレーム像の第３の合成倍率を計算し、人物と眼鏡フレームとの合成画像を前記表示装置に表示させることを特徴とする眼鏡装用シミュレーション装置における合成画像作成方法。」
　
　引用文献２（特開平８−１４７４９４号公報）
（２）「【特許請求の範囲】
【請求項１】頭髪を含んだ頭部の画像を取り込む頭部画像入力部と、前記頭部画像入力部から出力された頭部画像を入力として頭髪もしくは頭髪を含む頭部の形状を近似する頭部形状モデルを生成する頭部形状モデル生成部と、前記頭部画像から頭髪を表現する頭髪テクスチャ画像を生成する頭髪テクスチャ画像生成部と、テクスチャマッピングを用いて画像を表示するテクスチャマッピング表示部を具備し、前記頭部形状モデルと前記頭髪テクスチャ画像を前記テクスチャマッピング表示部により表示することによって頭髪画像を表現することを特徴とする頭髪画像生成装置。」
　
（３）「【０００６】
【作用】本発明において、頭部画像入力部は、対象人物の頭部を撮影し、取り込んだアナログ画像をディジタル画像に変換して出力し、頭部形状モデル生成部は、頭部画像入力部が出力した画像を入力として、頭髪または頭髪を含んだ頭部の外形を近似する３次元の頭部形状モデルを出力し、頭髪テクスチャ画像生成部は、頭部画像入力部が出力した画像を入力として、３次元形状から展開した頭髪を表現する頭髪テクスチャ画像を生成し、テクスチャマッピング表示部は、頭部形状モデル生成部が出力した頭部形状モデルと頭髪テクスチャ画像生成部が出力した頭髪テクスチャ画像を入力し、それらをテクスチャマッピングによって表示する。」
　
（４）「【００１５】正面頭部画像５１、左側面頭部画像５２、背面頭部画像５３から、頭髪部抽出手段４１によって頭髪領域を求める。頭髪部抽出手段４１としては、例えば、電子情報通信学会全国大会講演論文集７（１９９０年）第３７７頁から第３７８頁に発表されている。図５において、正面頭部画像５１、左側面頭部画像５２、背面頭部画像５３のうち斜線をつけた領域がそれぞれの頭髪領域である。これらの頭髪領域の大きさを合わせるために頭部画像のスケーリングを行う。まず、正面頭部画像５１の水平方向の矢印で示した大きさと背面頭部画像５３の水平方向の矢印で示した大きさが等しくなるように、正面頭部画像５１のスケーリングを行う。つぎに、左側面頭部画像５２の鉛直方向の矢印で示した大きさと背面頭部画像５３の鉛直方向の矢印で示した大きさが等しくなるように左側面頭部画像５２のスケーリングを行う。」
　
（５）「【００３５】まず頭部形状モデル生成部２５での処理と同様に、正面頭部画像５１、左側面頭部画像５２、背面頭部画像５３、右側面頭部画像５４から、頭髪部抽出手段４１により頭髪領域を求める。図５において、正面頭部画像５１、左側面頭部画像５２、背面頭部画像５３、右側面頭部画像５４に斜線をつけた部分が、それぞれの頭髪領域である。この頭髪領域の大きさを合わせるために、スケーリングを行う。正面頭部画像５１、左側面頭部画像５２、背面頭部画像５３のスケーリングは頭部形状モデル生成部２５での処理と同様である。右側面頭部画像５４については、図５において右側面頭部画像５４の垂直方向の矢印で示した大きさと、左側面頭部画像５２の垂直方向の矢印で示した大きさが等しくなるように、右側面頭部画像５４のスケーリングを行う。」
　
（６）「【００５３】
【発明の効果】以上のように本発明は、頭部を撮影し、その頭部画像から頭髪または頭髪を含めた頭部の外形を近似する頭部形状モデル、および頭髪を表現する頭髪テクスチャ画像を生成し、テクスチャマッピングに描画を行うことにより、頭髪画像を得るものである。この頭髪画像は、実写を用いることと、現実の頭髪形状もしくは頭部形状に近いモデルにマッピングを行うことから、作りもののような違和感は少ない。また、頭部の撮影角度、および撮影数に応じた範囲のあらゆる角度から見て、違和感の少ないものである。特に頭部を正面、左右両側面、背面から撮影した正面頭部画像、左側面頭部画像、背面頭部画像、右側面頭部画像を用いることにより、水平方向のいかなる角度から見ても違和感の少ない頭髪画像を表現できる。」
　
３．３．判断
　引用文献１の第２の合成倍率を計算することが、本願の請求項１に係る発明の正面肖像画像のスケーリング値Ａを求めることに対応するとしても、引用文献１には、側面肖像画像のような他の方向の画像に関する事項については記載も示唆もない。
　引用文献２には、上記（４）及び（５）のように、異なる方向の画像間のスケーリングを行うことが記載されているが、上記（２）、（３）、及び（６）のように引用文献２のものは、異なる方向の画像から、頭髪または頭髪を含めた頭部の外形を近似する頭部形状モデル、及び頭髪を表現する頭髪テクスチャ画像を生成し、テクスチャマッピングして描画を行うことにより、頭髪画像を得るものであり、他の画像の合成を行うためにスケーリング値を求めることについては記載も示唆もない。
　そして、一方向の画像に関する事項しか記載されていない引用文献１に、異なる方向の画像間のスケーリングを行う引用文献２の技術を適用することはできないから、引用文献１及び２を組み合わせたとしても、「前記正面肖像画像及び側面肖像画像の両肖像画像において共通して明らかに特定できるポイントを高さ計測ポイントとし、前記正面肖像画像において左右の角膜頂点を結んだ直線からこの高さ計測ポイントまでの垂直距離である正面肖像画像の垂直距離Ｌ１を求めるとともに、前記側面肖像画像において右又は左の角膜頂点から前記高さ計測ポイントまでの距離である側面肖像画像の垂直距離Ｌ２を求めるステップ」により求められた垂直距離Ｌ１及び垂直距離Ｌ２と、正面肖像画像のスケーリング値Ａとから、「これら得られた正面肖像画像のスケーリング値Ａと正面肖像画像の垂直距離Ｌ１と側面肖像画像の垂直距離Ｌ２とから、側面肖像画像のスケーリング値Ｂを次式、Ｂ＝Ａ×Ｌ１／Ｌ２により求めるステップ」により側面肖像画像のスケーリング値Ｂを求めて、「この側面肖像画像のスケーリング値Ｂを用いて、前記側面肖像画像と前記眼鏡フレーム画像とをそれらの実物の大きさに対して同一の比率にして眼鏡フレームを装用した側面画像を表示画面上に表示するステップ」により側面画像を表示する本願の請求項１に係る発明のようにすることは、当業者といえども容易になしえることではない。
　本願の請求項２に係る発明は、請求項１を引用するものであり、本願の請求項３に係る発明は、本願の請求項１に係る発明と同様のステップ、を実行する機能を有するコンピュータを発明特定事項とするものである。
　したがって、本願の請求項１−３に係る発明は、引用文献１及び２に基づいて、当業者が容易に発明をすることができたものではない。
　
３．４．むすび
　上述のように、本願については、原査定の拒絶理由を検討してもその理由によって拒絶すべきものとすることはできない。
　また、他に本願を拒絶すべき理由を発見しない。
　よって、結論のとおり審決する。